(57)【要約】【課題】  １サイクルを構成する各期間にあって、予め設定されたスケジュール通りに収納物が容器に収納されているかを管理する容器内収納物のスケジュール管理技術を提供する。【解決手段】  ランドセル１１に収納された収納物１２の情報をＩＣタグ１３を通して読み取り、その読み取り情報に基づき、予め設定された授業の時間割通りに、収納物１２がランドセル１１に収納されているかを判定する。これにより、１サイクルを構成する各期間にあって、予め設定された時間割通りに収納物１２がランドセル１１に収納されているかを確認して管理することができる。【選択図】図１
2005350136.tif 000002
【特許請求の範囲】
【請求項１】
容器に収納されて所定期間の経過毎に入れ換えられる複数の収納物に、それぞれ固定状態または着脱可能な状態で取り付けられ、かつ対応する収納物の情報がそれぞれのタグ側メモリに記憶された複数のＩＣタグと、
経時的なスケジュールに則って、前記容器への収納物の入れ換えが行われているかを管理するスケジュール管理装置とを備えた容器内収納物のスケジュール管理システムであって、
前記スケジュール管理装置は、
タイマと、
前記容器内の収納物のＩＣタグに記憶された情報を読み取る読み取り手段と、
複数の所定期間を１サイクルとする前記スケジュールが記憶された装置側メモリと、
前記読み取り手段からの読み取り情報に基づき、前記１サイクルを構成する各期間にあって、前記スケジュール通りに収納物が容器に収納されているかを判定する収納判定手段と、これらを制御する制御部とを備えた容器内収納物のスケジュール管理システム。
【請求項２】
複数の所定期間を１サイクルとして予め作成されたスケジュールに従って前記所定期間の経過毎に入れ換えられる容器内の収納物に対して、固定状態または着脱可能な状態で取り付けられるとともに、前記収納物の情報が記憶されるタグ側メモリを有したＩＣタグ。
【請求項３】
タイマによる時間管理下にあって複数の所定期間を１サイクルとし、対応する収納物の情報がそれぞれのタグ側メモリに記憶されたＩＣタグ付きの複数の収納物を、所定期間の経過毎に入れ換える容器に対して、固定状態または着脱可能な状態で取り付けられる容器内収納物のスケジュール管理装置であって、
前記容器内の収納物のＩＣタグに記憶された情報を読み取る読み取り手段と、
複数の所定期間を１サイクルとするスケジュールが記憶された装置側メモリと、
前記読み取り手段からの読み取り情報に基づき、前記１サイクルを構成する各期間にあって、前記スケジュール通りに収納物が容器に収納されているかを判定する収納判定手段と、これらを制御する制御部とを備えた容器内収納物のスケジュール管理装置。
【請求項４】
請求項３のスケジュール管理装置が、容器に着脱自在に取り付けられた容器内収納物のスケジュール管理機能付容器。
【請求項５】
容器内の収納物に固定状態または着脱可能な状態で取り付けられたＩＣタグに記憶された収納物の情報を読み取り、該読み取り情報に基づき、予め設定された複数の所定期間を１サイクルとしたスケジュールの各所定期間にあって、前記スケジュール通りに収納物が容器に収納されているかを判定する容器内収納物のスケジュール管理方法。
【請求項６】
前記容器は通学用のランドセルまたは鞄で、前記スケジュールは授業の時間割である請求項１〜請求項５のうち、何れか１項に記載の容器内収納物のスケジュール管理技術。
【請求項７】
前記判定の結果を外部に報知する報知手段を有した請求項１、請求項３、請求項４のうち、何れか１項に記載の容器内収納物のスケジュール管理技術。
【請求項８】
前記容器は、同一固体の容器または互いに別体ではあるが使用目的が同じ複数の容器である請求項１〜請求項７のうち、何れか１項に記載の容器内収納物のスケジュール管理技術。
【発明の詳細な説明】
【発明の詳細な説明】
【技術分野】
【０００１】  この発明は、複数の所定期間（所定時間、所定日にち）を１サイクルとし、収納物が所定期間の経過毎に入れ換えられる容器について、予め設定されたスケジュール（時間割）通りに収納物が収められているかを、ＩＣタグを利用して管理可能な容器内の収納物のスケジュール管理技術に関する。
【背景技術】
【０００２】  例えば、各種の学校（小学校、中学校、大学校など）の授業の時間割は、各学期が始まる前に、通常、１週間（場合によっては数週間または１〜数ヵ月）を１サイクルとして決められている。
そのため、学生や教員などは、登校する前、その日の時間割に合わせ、本やノートなどの収納物を準備し、これらを予め空にしたランドセルや鞄（容器）に入れている。このことは、各曜日毎、各月の日にち毎または各年の日にち毎に行き先に合わせて書類、商品カタログ、商品サンプルなどを変更している営業マン（ルートセールスマン）といった社会人でも同じである。【０００３】  容器に収納される収納物の管理に関する技術として、例えば特許文献１の「非接触ＩＣタグ付き収納箱」が知られている。
これは、ＩＣタグを用いて、収納箱の蓋の開閉状態を無線で確認することにより、物品収納、輸送管理を確実に行えるようにしたものである。
【特許文献１】特開２００２−２３４５４２号公報
【発明の開示】
【発明が解決しようとする課題】
【０００４】  しかしながら、特許文献１が対象とする収納箱は、複数の所定期間を１サイクルとし、収納物が所定期間の経過毎に入れ換えられる容器ではなかった。
また、収納物の管理方法も、１サイクル中の各期間において、予め設定されたスケジュール通りに収納物が容器に収められているかを管理する方法ではなかった。【０００５】  この発明は、１サイクルを構成する各期間にあって、予め設定されたスケジュール通りに収納物が容器に収納されているかを管理することができる容器内収納物のスケジュール管理技術を提供することを目的としている。
また、この発明は、授業の時間割に則り、収納物がランドセルまたは鞄に収納されるかを管理することができるスケジュール管理技術を提供することを目的としている。
さらに、この発明は、容器の使用者などがその判定結果を知ることができるスケジュール管理技術を提供することを目的としている。
【課題を解決するための手段】
【０００６】  請求項１に記載の発明は、容器に収納されて所定期間の経過毎に入れ換えられる複数の収納物に、それぞれ固定状態または着脱可能な状態で取り付けられ、かつ対応する収納物の情報がそれぞれのタグ側メモリに記憶された複数のＩＣタグと、経時的なスケジュールに則って、前記容器への収納物の入れ換えが行われているかを管理するスケジュール管理装置とを備えた容器内収納物のスケジュール管理システムであって、前記スケジュール管理装置は、タイマと、前記容器内の収納物のＩＣタグに記憶された情報を読み取る読み取り手段と、複数の所定期間を１サイクルとする前記スケジュールが記憶された装置側メモリと、前記読み取り手段からの読み取り情報に基づき、前記１サイクルを構成する各期間にあって、前記スケジュール通りに収納物が容器に収納されているかを判定する収納判定手段と、これらを制御する制御部とを備えた容器内収納物のスケジュール管理システムである。【０００７】  請求項１に記載の発明によれば、容器に収納された収納物の情報は、収納物のＩＣタグを読み取り手段により読み取ることで取得される。その読み取り情報と、タイマ制御された１サイクルを構成する各期間にあって、予め装置側メモリに記憶されたスケジュールとを対比し、スケジュール通りに収納物が容器に収納されているかを、収納判定手段により判定する。これにより、１サイクルを構成する各期間にあって、その時々に合った収納物がスケジュール通りに容器に収納されるかどうかをチェックして管理することができる。【０００８】  容器の素材は限定されない。例えば、各種のプラスチック、各種の金属、各種のコンクリート、各種の革、各種の木材、各種のセラミックス、各種の布、各種の紙などを採用することができる。
容器の形状は限定されない。例えば、正面視して円形、楕円形、三角形以上の多角形を採用することができる。その他、任意形状の容器でもよい。
容器の大きさは限定されない。【０００９】  容器の種類は限定されない。例えば各種の鞄類（ランドセル、ポーチ、ハンドバッグなど）、各種の移動可能なケース類（ダンボール箱、アタッシュケース、トランク、道具箱（工具箱）、医療用ケース、医薬品ケース、手術用具ケースまたはトレイ、注射用具ケースまたはトレイなど）、各種の袋類（財布、手提げ袋など）、各種の据え付け型の収納ケース（ロッカー、タンス、陳列ケース（貴金属を含む貴重品用を含む）、金庫など）、輸送用コンテナ、搬送ボックス、商品用カート、額縁（収納物としては絵、写真、表彰状など）、水槽（収納物としては魚介類、藻類、水槽回りの備品など）、各種のボンベ（ガスボンベなど）、各種のタンク（液体収納用または気体収納用のタンクなど）、各種の椅子、各種のテーブル、各種のボトルや缶（液体収納用または気体収納用のボトルまたは缶）、各種の鉢類、各種の部屋類（カラオケボックス、賃貸ルーム、舞台およびその控室、植物栽培用の温室、動物育成用の温室、昆虫育成用の温室、魚介類の育成用の温室など）、各種の建物（イベントホール、賃貸マンション、各種の運動施設、入浴施設、各種の工場、各種の商業施設（商店を含む）、各種の交通施設（バスターミナル、駅、港、飛行場など）、各種の休息施設）、各種の車両（二輪車、原動機付二輪車、自動車、列車を含む）、各種の船舶、各種の飛行機などを採用することができる。【００１０】  収納物は限定されない。固体（粉体、粒体、塊）、液体、気体の何れでもよい。具体的には、本、ノート、ドリル、筆記具を含む各種の文房具、各種の資料、旅行用品、手帳、携帯電話、パスポート、保険証、各種の医療用品、各種のカード、各種の化粧品、各種の雑貨品、各種の購入商品、人間、各種のペットなどの動物、各種の植物（花を含む）、各種の食品（献立の宅配用の食品を含む）、各種の絵、各種の魚、各種の工具、各種の衣料などを採用することができる。その他、各種の液体（水、各種の清涼飲料水、各種のアルコール類）、各種の液体燃料（石油、ガソリン、灯油など）でもよいし、各種のガス（酸素、窒素、水素、空気、燃料ガスなど）でもよい。
特定時期において、容器に収納される収納物の数は１つでもよいし、複数でもよい。【００１１】  所定期間は限定されない。例えば１秒間、１分間、１時間、１日間、１週間、１ヵ月間、１年間でもよい。その他、任意の時間（秒、分、時間）、任意の日間、任意の月間、任意の年間でもよい。
１サイクルとされる所定期間の数は限定されない。例えば２つ、３つ以上でもよい。
また、１サイクルを構成する各所定期間は、同じ長さの期間でもよいし、異なる長さの期間（例えば１サイクルが６つの所定期間から構成される場合、１日間→１週間→３時間→１ヵ月間→３０秒間→１年間など）でもよい。
所定期間の経過毎に入れ換えられる収納物の数は限定されない。容器に収納された全てでもよいし、選出された１つまたは複数でもよい。
また、この発明は、複数回にわたって容器が使用され、その使用回数ごとまたは任意回数ごとに、収納物が変更される容器内収納物のスケジュール管理にも適用される。
さらに、この発明は、複数回にわたって別の場所、別の用途に使い回される容器を利用し、その使用回数ごとまたは任意回数ごとに、収納物が変更される容器内収納物のスケジュール管理にも適用される。【００１２】  ＩＣタグとは、ＩＣのメモリ（タグ側メモリ）と、アンテナなどの無線通信部とを有する非接触型タグ（ＲＦＩＤ）である。電源を有するアクティブ型でもよいし、電源を有していないパッシブ型でもよい。パッシブ型は、スケジュール管理装置のアンテナからの電力供給を受けて動作する。ＩＣタグの種類、大きさ、形状などは限定されない。例えば、途中で電子情報を追記したり、書き換えたりすることができるものでもよいし、そうでないものでもよい。すなわち、リードライト型、ワンタイム書き込み型、リードオンリー型などである。ＩＣタグの電送媒体方式は限定されない。例えば、電磁結合型、電磁誘導型、マイクロ波型、光交信型などでもよい。ＩＣタグは、交信距離をパラメータとした分類で、密着型、近接型、近傍型、遠距離型の何れでもよい。タグ側メモリの容量は限定されない。例えば、３２〜８００ｂｉｔが多用されている。チップの大きさも限定されない。例えば、０．５〜５ｍｍが多用されている。ＩＣタグの形状は限定されない。例えば、ラベル型、カード型、コイン型、ステック型、ディスク型、プレート型などでもよい。
ＩＣタグは、収納物に固定状態で取り付けてもよいし、着脱可能な状態で取り付けてもよい。【００１３】  タグ側メモリに記憶される収納物の情報は限定されない。例えば、物品名、製造日、流通などの各種の履歴、使用開始日、使用終了日、製造元、販売元、価格、収納物の使用方法、収納物の由来、賞味期限、使用期限、返却日などでもよい。
スケジュール管理装置とは、予め作成された経時的なスケジュールに則って、容器への収納物の入れ換えがされているかを管理する装置である。
スケジュール管理装置は、容器に固定状態で取り付けてもよいし、着脱可能な状態で取り付けてもよい。また、容器とは別の場所に設置してもよい。例えば、ＩＣタグ付きの収納物を入れた容器（例えばコンテナやダンボール）が通過する通過ゲート（収納物検査ステージ）にスケジュール管理装置配置し、経時的に容器内の収納物を管理するようにしてもよい。【００１４】  読み取り手段の構造は限定されない。一般的には、コントローラと、データ送受信部（ＲＦモジュール）と、アンテナとを備えている。読み取り手段は、少なくともＩＣタグの情報の読み取りができるものであって、ＩＣタグのタグ側メモリに情報を書き込みできるリーダ／ライター機能を有したものでもよい。
読み取り手段におけるＩＣタグ側からの情報の伝送媒体方式としては、電磁結合型、電磁誘導型、マイクロ波型、光交信型などを採用することができる。
制御部としては、例えばＣＰＵなどを採用することができる。制御部では、タイマからの時間信号と、読み取り手段からの読み取り信号と、装置側メモリからのスケジュール情報とを収納判定手段にそれぞれ送り、スケジュール通りに収納物が容器に収納されているかの判定結果を受ける。
制御部には、その判定結果を報知する報知手段（ディスプレイ、スピーカなど）が電気的に接続されてもよい。また制御部には、判定結果に基づき、容器内の収納物を正しい収納物に交換する交換手段が電気的に接続されてもよい。
収納判定手段は、前記読み取り情報に基づき、１サイクルを構成する各期間（収納判定を行う日時）にあって、前記スケジュール通りに収納物が容器に収納されているかを、予め装置側メモリに記憶されたスケジュールと照らし合わせ、合致していれば正、間違っていれば誤という判定を行う。収納判定手段は、その回路構成は限定されない。【００１５】  請求項２に記載の発明は、複数の所定期間を１サイクルとして予め作成されたスケジュールに従って前記所定期間の経過毎に入れ換えられる容器内の収納物に対して、固定状態または着脱可能な状態で取り付けられるとともに、前記収納物の情報が記憶されるタグ側メモリを有したＩＣタグである。
請求項２に記載の発明によれば、容器に収納された収納物の情報は、収納物に取り付けたＩＣタグより読み取られる。その読み取り情報に基づき、予め作成されたスケジュール通りに収納物が容器に収納されているかを判定する。これにより、１サイクルを構成する各期間にあって、そのスケジュール通りに収納物が容器に収納されているかを管理することができる。
ＩＣタグの種類は限定されない。例えば、取り付けられる収納物の名称、使用開始日、使用期限などを手書きするための表記面（領域）を有してもよい。【００１６】  請求項３に記載の発明は、タイマによる時間管理下にあって複数の所定期間を１サイクルとし、対応する収納物の情報がそれぞれのタグ側メモリに記憶されたＩＣタグ付きの複数の収納物を、所定期間の経過毎に入れ換える容器に対して、固定状態または着脱可能な状態で取り付けられる容器内収納物のスケジュール管理装置であって、前記容器内の収納物のＩＣタグに記憶された情報を読み取る読み取り手段と、複数の所定期間を１サイクルとするスケジュールが記憶された装置側メモリと、前記読み取り手段からの読み取り情報に基づき、前記１サイクルを構成する各期間にあって、前記スケジュール通りに収納物が容器に収納されているかを判定する収納判定手段と、これらを制御する制御部とを備えた容器内収納物のスケジュール管理装置である。【００１７】  請求項３に記載の発明によれば、容器に収納された収納物の情報は、収納物のＩＣタグを読み取り手段により読み取られる。その読み取り情報に基づき、予め装置側メモリに記憶されたスケジュール通りに収納物が容器に収納されているかを、収納判定手段により判定する。これにより、タイマ制御された１サイクルを構成する各期間にあって、予め設定されたスケジュール通りに収納物が容器に収納されているかを管理することができる。【００１８】  請求項４に記載の発明は、請求項３のスケジュール管理装置が、容器に着脱自在に取り付けられた容器内収納物のスケジュール管理機能付容器である。
請求項４に記載の発明によれば、スケジュール管理装置を着脱自在に容器に取り付けられるようにしたので、既存の容器に、この発明のスケジュール管理機能を与えることができる。
スケジュール管理装置を容器に着脱自在に取り付ける方法としては、例えばフック、ホック、クリップ、マジックテープなどによる掛止を採用することができる。また、収納袋内への収納などでもよい。さらには、帯状体、紐状体、線状体による締結や、ビスなどによる螺着などでもよい。【００１９】  請求項５に記載の発明は、容器内の収納物に固定状態または着脱可能な状態で取り付けられたＩＣタグに記憶された収納物の情報を読み取り、該読み取り情報に基づき、予め設定された複数の所定期間を１サイクルとしたスケジュールの各所定期間にあって、前記スケジュール通りに収納物が容器に収納されているかを判定する容器内収納物のスケジュール管理方法である。
請求項５に記載の発明によれば、容器に収納された収納物の情報はＩＣタグを通して読み取られる。その読み取り情報に基づき、予め設定されたスケジュールスケジュール通りに、収納物が容器に収納されているかを判定する。これにより、１サイクルを構成する各期間にあって、予め設定されたスケジュール通りに収納物が容器に収納されているかを管理することができる。【００２０】  請求項６に記載の発明は、前記容器は通学用のランドセルまたは鞄で、前記スケジュールは授業の時間割である請求項１〜請求項５のうち、何れか１項に記載の容器内収納物のスケジュール管理技術である。
請求項６に記載の発明によれば、容器を通学用のランドセルまたは鞄とし、かつスケジュールを授業の時間割としたので、例えば曜日毎に変更される授業の時間割に則って、本やノートなどの収納物がランドセルまたは鞄に収納されるかを判定し、それを管理することができる。また、下校時に、学校に教科書やノートなどの忘れ物をしていないかも確認することができる。【００２１】  請求項７に記載の発明は、前記判定の結果を外部に報知する報知手段を有した請求項１、請求項３、請求項４のうち、何れか１項に記載の容器内収納物のスケジュール管理技術である。
請求項７に記載の発明によれば、判定の結果は報知手段により外部に報知されるので、容器の使用者などが、その判定結果を知ることができる。
報知手段としては、例えばディスプレイ、スピーカ、プリンタなどを採用することができる。報知手段は、１種類だけを採用してもよいし、２種類以上を併用してもよい。【００２２】  請求項８に記載の発明は、前記容器は、同一固体の容器または互いに別体ではあるが使用目的が同じ複数の容器である請求項１〜請求項７のうち、何れか１項に記載の容器内収納物のスケジュール管理技術である。
同一固体の容器とは、経時的に複数回にわたって使い回される場合がある１個（単体）の容器という意味である。
別体ではあるが使用目的が同じ容器とは、同一時期に使用される複数の容器または異なる時期に使用される複数の容器がそれぞれ別体ではあるものの、収納物を収納する目的が同じ容器という意味である（例えば、商品を箱詰めする使い捨て用のダンボール箱など）。
ここでいう目的としては、例えば梱包、運搬、保管、保存、貯蔵、休息、冷凍、冷蔵、乾燥、捕獲、捕集、吊り下げ、栽培、飼育、陳列、入浴、搭乗、格納などが挙げられる。
別体の容器同士は、例えば互いに素材が異なっても、互いに大きさが異なっても、互いに形状が異なってもよい。
【発明の効果】
【００２３】  請求項１〜請求項５に記載の発明によれば、容器に収納された収納物の情報をＩＣタグを通して読み取り、その読み取り情報に基づき、予め設定されたスケジュール通りに、収納物が容器に収納されているかを判定する。これにより、１サイクルを構成する各期間にあって、予め設定されたスケジュール通りに収納物が容器に収納されているかを管理することができる。【００２４】  請求項６に記載の発明によれば、容器をランドセルまたは鞄とし、かつスケジュールを授業の時間割としたので、１サイクルの構成する各期間にあって、予め設定された授業の時間割に則って、例えば本やノートなどの収納物がランドセルまたは鞄に収納されるかを判定し、それを管理することができる。【００２５】  請求項７に記載の発明によれば、判定の結果は報知手段により外部に報知されるので、容器の使用者などが、その判定結果を知ることができる。
【発明を実施するための最良の形態】
【００２６】  以下、図面を参照し、この発明の実施例を説明する。
【実施例１】
【００２７】  図１において、１０はこの発明の実施例１に係る容器内収納物のスケジュール管理システム（以下、スケジュール管理システム）で、このスケジュール管理システム１０は、ランドセル（容器）１１に収納され、１週間の曜日（ここでは月曜日〜金曜日）毎に入れ換えられる複数の収納物１２にそれぞれ貼着され、かつ対応する収納物１２の情報がそれぞれのタグ側メモリに記憶された複数のＩＣタグ１３と、ランドセル１１に着脱可能に取り付けられ、曜日毎に異なる１週間の時間割（スケジュール）に則って、ランドセル１１への収納物１２の入れ換えが行われているかを管理するスケジュール管理装置１５とを備えている。【００２８】  まず、ランドセル１１の構成を説明する。ここでいうランドセル１１は、同一固体の容器である。
ランドセル１１はランドセル本体１６を有している。ランドセル本体１６は、背板１７，左右の大襠１８，１８、大仕切板２０および底板２１により上面で開口した収納物収容部１４を有する箱状に形成されている。左右の大襠１８，１８は底板２１の左右に連続して一体に形成され、これらの左右の大襠１８，１８および底板２１は、それぞれ前辺縁に大仕切板２０の左右辺縁および底辺縁を重合させて縫着し、かつ左右の大襠１８，１８および底板２１のそれぞれ後辺縁に背板１７の左右辺縁および底辺縁を重ね合わせて縫着している。補強片２２は細長い一連のテープ状をなし、これを逆Ｕ字状に左右の大襠１８，１８および大仕切板２０の全周に被せて縫着している。また、ランドセル本体１６の内面には、左右の大襠１８，１８および大仕切板２０の全面に重合させて内張板２３が接着されている。【００２９】  大仕切板２０の前面には、胴前ポケット２４が設けられている。小襠２５，２５および底部２７からなる小襠材２８，前板２９により、上側を開口した小容量の収納部を区画形成している。背板１７の上端縁には、基端部が取り付けられた蓋板３０が設けられている。その遊端部には磁性材製の掛止板３１が取り付けられている。この掛止板３１が、底板２１に設けた磁石製の錠止体３２に磁着させるように構成している。３３はランドセル本体１６に取り付けた一対の背負いバンドである。ランドセル１１に代えて、鞄（中学生用、高校生用、大人用など）を採用してもよい。【００３０】  収納物１２としては、国語の教科書、社会の教科書、算数の教科書、理科の教科書の他、国語ノート、社会ノート、算数ノート、理科ノート、連絡帳、宿題入れ用ファイル、筆箱、体操服などである。
ＩＣタグ１３は、タグ側メモリを含むＩＣチップ１３ａと、アンテナ１３ｂなどの無線通信部とを有する非接触型タグ（ＲＦＩＤ）である。ここでは、電源を有しないパッシブ型が採用されている。パッシブ型は、スケジュール管理装置１５に設けられた読み取り手段のアンテナからの電力供給を受けて動作する。
また、ＩＣタグ１３は、途中で電子情報を追記したり、書き換えたりすることができないリードオンリー型のものと、書き換え可能なリードライト型のものと、ワンタイム書き込み型のものが適宜併用されている。ＩＣタグ１３の電送媒体方式は、電磁誘導型を採用している。ＩＣタグ１３は、交信距離をパラメータとした分類では近接型である。また、近傍型でもよい。タグ側メモリの容量は、１００ｂｉｔ程度である。ＩＣチップ１３ａの大きさは、１ｍｍ程度である。【００３１】  ＩＣタグ１３は、裏面に接着剤が塗布された円形の貼着シート１３ｃに埋め込まれたラベル型である。貼着シート１３ｃの表面には、貼着される収納物１２の名前、例えば教科書名（国語の教科書、社会の教科書など）、ノート名（算数のノート、理科のノートなど）が印刷されたものと（図３（ａ））、使用者がペンで自由に記入できる書き込み空欄１３ｄを有したものとがある（図３（ｂ））。収納物１２の品名が印刷されたＩＣタグ１３の場合には、予めタグ側メモリに収納物１２の情報（例えば品名、該当年（何年生用であるか）、製造日、流通などの各種の履歴、製造元、販売元、価格など）が書き込まれている。その他、リードライト型またはワンタイム書き込み型のＩＣタグ１３の場合には、使用後における使用者のキー入力により、収納物１２の使用者の住所、氏名、連絡先、使用開始日、使用終了日などが追記できる。
また、無記名のＩＣタグ１３の場合には、スケジュール管理装置１５に設けられた書き込み手段により、使用者が任意に選択した上記の情報などをキー入力する。【００３２】  次に、前記スケジュール管理装置１５を詳細に説明する。
図４のブロック図に示すように、スケジュール管理装置１５は、タイマＴと、ランドセル１１内の収納物１２のＩＣタグ１３に記憶された情報を読み取り、かつ新たにタグ側メモリに情報を書き込む読み取り手段５０と、その書き込み用のキー入力部５１と、１週間を１サイクルとする時間割が記憶された装置側メモリ５２と、読み取り手段５０からの読み取り情報に基づき、１サイクルを構成する各期間（月曜日、火曜日、水曜日、木曜日、金曜日、土曜日）にあって、時間割通りに収納物１２がランドセル１１に収納されているかを判定する収納判定手段５３と、液晶表示部（報知手段）５４と、判定結果を音声で知らせる音声表示手段であるスピーカ（報知手段）５５と、これらを制御するＣＰＵ（制御部）５６と、これらが収納されるケーシング５７とを備えている。【００３３】  ケーシング５７は、略正方形を有した薄肉のプラスチック（金属でもよい）製のケースで、ランドセル１１の前板２９の表側に固着されている。なお、例えばスケジュール管理装置１５を他のランドセル、鞄、手提げバッグなどに装着し直せるように、着脱自在としてもよい。
ケーシング５７の表側の下端部を除く略全域には、時間割などを表示する液晶表示部５４が設けられている。また、ケーシング５７の表面側の下端部には、キー入力部５１が設けられている。キー入力部５１は、例えば着脱自在とされたケーシング５７の裏側に設けてもよい。キー入力部５１には、収納物１２がスケジュール通りにランドセル１１に収納されているかの判定を開始するスタートキー５１ａも配置されている。ケーシング５７の一側部には、スピーカ５５が内蔵されている。【００３４】  スケジュール管理装置１５には、ＩＣタグ１３に記憶された情報を読み取る読み取り手段５０が設けられている。読み取り手段５０は、この情報の読み取りと書き込みとが可能なリーダ／ライター機能を有している。
読み取り手段５０は、コントローラと、データ送受信部（ＲＦモジュール）と、アンテナとを備えている。読み取り手段５０の情報の伝送媒体方式は、ＩＣタグ１３と同じ電磁誘導型である。
ＣＰＵ５６では、タイマＴからの時間信号と、読み取り手段５０からの読み取り信号と、装置側メモリ５２からのスケジュール情報とを収納判定手段５３にそれぞれ送り、スケジュール通りに収納物１２がランドセル１１に収納されているかの判定結果を受ける。そして、その判定結果を、液晶表示部５４により表示するとともに、スピーカ５５により音声で報知する。【００３５】  収納判定手段５３は、読み取り手段５０により読み取られたＩＣタグ側の読み取り情報に基づき、１サイクルを構成する各期間（収納判定を行う日時）にあって、前記時間割通りに収納物１２がランドセル１１に収納されているかを、予め装置側メモリ５２に記憶されたスケジュールと照らし合わせ、合致していれば正（ＯＫ）、間違っていれば誤（ＮＯ）という判定を行う。
液晶表示部５４は、バックライトを有したカラー表示方式のものである。なお、白黒表示で、バックライト無しのものでもよい。液晶表示部５４には、通常、月曜日から金曜日までの１週間の授業の時間割が表示されている。そして、収納物１２の判定時、その判定結果が所定の時間（５〜１０秒間）だけ画像表示される。【００３６】  使用者がランドセル１１に収納物１２を入れ、その収納物１２がその日の学校の授業の時間割に合わせて収納されているかを確かめたい場合には、使用者が判定開始用のスタートキー５１ａを押す。これにより、ランドセル１１に設けられたスケジュール管理装置１５がスケジュール管理を開始する。
すなわち、読み取り手段５０からアンテナを通して電波を送信し、ランドセル１１内の各収納物１２のＩＣタグ１３から返信される電波を読み取る。読み取られた収納物１２の各情報はＣＰＵ５６に送られ、ここから収納物１２の各情報が収納判定手段５３に送られる。収納判定手段５３では、その読み取り情報と、タイマＴからの日時情報と、装置側メモリ５２に予め記憶されたスケジュール（授業の時間割）とに基づき、前記タイマＴにより制御された１週間を構成する各曜日にあって、各収納物１２の情報と時間割とを対比し、時間割通りに収納物１２（本、ノート、筆記用具など）がランドセル１１に収納されているかを判定する。これにより、授業が行われる各曜日において、その時間割に合った収納物１２がランドセル１１に収納されているかどうかをチェックして管理することができる。判定結果は、液晶表示部５４に数秒間だけ表示される。また、スピーカ５５からも音声により報知される。【００３７】  次に、図５を参照して、別の形態の容器内収納物のスケジュール管理システム１０Ａを説明する。これは、スケジュール管理装置を、容器とは別の場所に設置した例である。
図５にその具体例を示す。商品配送センターなどにおいて、ＩＣタグ付きの商品（収納物）１２Ａを入れた多数のダンボール箱（容器）１１Ａを、梱包ステージから貨物輸送の出荷ステージまでベルトコンベア６５により搬出する商品コンベア出荷システムにおいて、ベルトコンベア６５の途中に設けられた収納物検査ステージの通過ゲート６０に、スケジュール管理装置１５Ａを設置する。なお、スケジュール管理装置１５Ａの制御部６１は、図示しない配送指令センターに設置されている。もちろん、制御部６１はスケジュール管理装置１５Ａに単独で設置してもよいし、配送指令センターとスケジュール管理装置１５Ａとに、それぞれ得意分野の機能を分担して併設してもよい。ここでいう多数のダンボール箱１１Ａは、それぞれが別体で素材、形状、大きさに違いがある場合が存在するものの、商品１２Ａを梱包するという同じ目的で使用される容器である。【００３８】  これにより、ダンボール箱１１Ａに収納された商品１２Ａの情報は、通過ゲート６０をダンボール箱１１Ａが通過する際、商品１２ＡのＩＣタグ１３がスケジュール管理装置１５Ａの読み取り手段５０により読み取られることで取得される。その読み取り情報と、タイマ制御された１サイクルを構成する各期間（例えば各１時間ごと、各曜日ごと、１ヶ月ごと、１年ごと、商品の１ロットまたは複数ロットの出荷期間ごと）に、予め装置側メモリ５２に記憶された商品配送スケジュールとを対比し、スケジュール通りに商品１２Ａがダンボール箱１１Ａに収納されているかを、収納判定手段５３により判定する。これにより、１サイクルを構成する各期間にあって、その時々に合った商品１２Ａがスケジュール通りにダンボール箱１１Ａに収納されるかどうかをチェックして管理することができる。なお、不良品は配送ラインから排除される。
【図面の簡単な説明】
【００３９】
【図１】この発明の実施例１に係る容器内収納物のスケジュール管理技術が適用されたランドセルの蓋板を開いた全体構成を示す斜視図である。
【図２】この発明の実施例１に係る容器内収納物のスケジュール管理技術が適用されたランドセルの蓋板を閉じた斜視図である。
【図３】（ａ）この発明の実施例１に使用されるＩＣタグ付きラベルの正面図である。（ｂ）この発明の実施例１に使用される他のＩＣタグ付きラベルの正面図である。
【図４】この発明の実施例１に係るスケジュール管理装置の制御系を示すブロック図である。
【図５】この発明の実施例１に係る他の容器内収納物のスケジュール管理技術を示す全体項製図である。
【符号の説明】
【００４０】  １０，１０Ａ  容器内収納物のスケジュール管理システム
１１  ランドセル（容器）
１１Ａ  ダンボール箱
１２  収納物
１２Ａ  商品（収納物）
１３  ＩＣタグ
１５，１５Ａ  スケジュール管理装置
５０  読み取り手段
５２  装置側メモリ
５３  収納判定手段
５４  液晶表示部（報知手段）
５５  スピーカ（報知手段）
５６  ＣＰＵ（制御部）
Ｔ  タイマ
【図１】
2005350136.tif 000003
【図２】
2005350136.tif 000004
【図３】
2005350136.tif 000005
【図４】
2005350136.tif 000006
【図５】
2005350136.tif 000007